(57)【特許請求の範囲】
【請求項１】
天井に取り付けられ、室内側に臨む開口を下面に有する箱状のフレームと、前記フレーム内に配設された遠心型の送風機と、前記フレーム側面にフレーム吐出口とを有した換気装置であって、
前記フレームには、前記開口を覆うように化粧パネルが設けられ、
前記送風機は、下面に送風機吸込口と側面に送風機吐出口とを有したスクロール状のケーシングと、前記ケーシング内に配設される遠心送風羽根と、前記遠心送風羽根を回転駆動する電動機とで構成され、
前記化粧パネルには、中央部にパネル用吸込口と、周縁部にパネル用吐出口とが備えられ、
前記ケーシングの側壁部には、前記送風機吐出口の反対側かつ前記遠心送風羽根の回転方向の下流側に第１循環口と、前記第１循環口が設けられた以外の前記側壁部に第２循環口とを有し、
前記フレーム内部に前記送風機吸込口と前記パネル用吸込口とを連通する吸込通風空間を設け、
前記第１循環口と前記第２循環口と前記パネル用吐出口とを連通する循環通風空間を設け、
前記第１循環口と前記第２循環口とを前記フレームの角部近傍に配置したことを特徴とする換気装置。
【請求項２】
天井に取り付けられ、室内側に臨む開口を下面に有する箱状のフレームと、前記フレーム内に配設された遠心型の送風機と、前記フレーム側面にフレーム吐出口とを有した換気装置であって、
前記フレームには、前記開口を覆うように化粧パネルが設けられ、
前記送風機は、下面に送風機吸込口と側面に送風機吐出口とを有したスクロール状のケーシングと、前記ケーシング内に配設される遠心送風羽根と、前記遠心送風羽根を回転駆動する電動機とで構成され、
前記化粧パネルには、中央部にパネル用吸込口と、周縁部にパネル用吐出口とが備えられ、
前記ケーシングの側壁部には、前記送風機吐出口の反対側かつ前記遠心送風羽根の回転方向の下流側に第１循環口と、前記第１循環口が設けられた以外の前記側壁部に第２循環口とを有し、
前記フレーム内部に前記送風機吸込口と前記パネル用吸込口とを連通する吸込通風空間を設け、
前記第１循環口と前記第２循環口と前記パネル用吐出口とを連通する循環通風空間を設け、
前記第１循環口と前記第２循環口とを前記フレームの上面近傍に配置したことを特徴とする換気装置。
【請求項３】
天井に取り付けられ、室内側に臨む開口を下面に有する箱状のフレームと、前記フレーム内に配設された遠心型の送風機と、前記フレーム側面にフレーム吐出口とを有した換気装置であって、
前記フレームには、前記開口を覆うように化粧パネルが設けられ、
前記送風機は、下面に送風機吸込口と側面に送風機吐出口とを有したスクロール状のケーシングと、前記ケーシング内に配設される遠心送風羽根と、前記遠心送風羽根を回転駆動する電動機とで構成され、
前記化粧パネルには、中央部にパネル用吸込口と、周縁部にパネル用吐出口とが備えられ、
前記ケーシングの側壁部には、前記送風機吐出口の反対側かつ前記遠心送風羽根の回転方向の下流側に第１循環口と、前記第１循環口が設けられた以外の前記側壁部に第２循環口とを有し、
前記フレーム内部に前記送風機吸込口と前記パネル用吸込口とを連通する吸込通風空間を設け、
前記第１循環口と前記第２循環口と前記パネル用吐出口とを連通する循環通風空間を設け、
前記第１循環口または前記第２循環口に開口率を調整する遮蔽手段を備えたことを特徴とする換気装置。
【発明の詳細な説明】
【技術分野】
【０００１】
本発明は、天井に設けた開口に埋め込まれ、天井裏に配管され屋外と連通するダクトに接続され、室内の換気を行う換気装置に関する。
【背景技術】
【０００２】
従来、この種の換気装置としては、換気を対象とする室内とは別の空間から空気を室内側に給気すると同時に、換気対象の室内の空気を排気することでより一層換気、乾燥の効率を高めた換気装置が知られている。（例えば、特許文献１参照）。
【０００３】
以下、この種の換気装置について、図５を参照しながら説明する。
【０００４】
図５に示すように、換気装置本体１０１は、建物内の屋根裏空間または天井裏空間に設置され、同時に給気形換気装置１０２が同様の空間に設置される。この換気装置本体１０１は本体フレーム１０３の側面に給気吸込口１０４と他の側面に排気口１０５を有し、この換気装置本体１０１の室内側の面を覆うように、下面に室内吸込部１１１と周辺部に室内吐出部１１２を有した化粧グリル１０６が配設される。また、換気装置本体１０１の内部には電動機１０７が固定されて、その電動機１０７には遠心送風羽根１０８が固定されている。遠心送風羽根１０８は、ケーシング１０９にて形成された給気室内に配設され、その下方にはオリフィス１１０が設けられている。また、本体フレーム１０３とケーシング１０９との間には給気風路１１３を有している。
【０００５】
本構造において、室内の空気は、遠心送風羽根１０８により室内吸込部１１１を通過しオリフィス１１０から換気装置本体１０１内に吸い込まれ、その後、排気口１０５から排気ダクトを介して室外に排気される。一方で、給気形換気装置１０２から吐出された給気は、給気吸込口１０４から導入され、換気装置本体１０１内部の給気風路１１３を通過し、化粧グリル１０６の室内吐出部１１２から室内に給気される構成となっている。
【先行技術文献】
【特許文献】
【０００６】
【特許文献１】特開平７−１４５９７３号公報
【発明の概要】
【発明が解決しようとする課題】
【０００７】
このような従来の換気装置においては、室内の排気のみを行なう換気装置に対して同時に給気を行うことができるため、換気の有効性としては優れてはいた。しかし、湿度が高い空間や空気の行き渡りにくい場所での、カビの発生、ニオイの残留という課題を有していた。
【０００８】
そこで本発明は、上記の従来の課題を解決するものであり、湿度が高い空間や空気の行き渡りにくい場所でも、カビの発生、ニオイの残留を抑制する換気装置を提供することを目的とする。
【課題を解決するための手段】
【０００９】
この目的を達成するために、本発明は天井に取り付けられ、室内側に臨む開口を下面に有する箱状のフレームと、前記フレーム内に配設された遠心型の送風機と、前記フレーム側面にフレーム吐出口とを有した換気装置であって、前記フレームには、前記開口を覆うように化粧パネルが設けられ、前記送風機は、下面に送風機吸込口と側面に送風機吐出口とを有したスクロール状のケーシングと、前記ケーシング内に配設される遠心送風羽根と、前記遠心送風羽根を回転駆動する電動機とで構成され、前記化粧パネルには、中央部にパネル用吸込口と、周縁部にパネル用吐出口とが備えられ、前記ケーシングの側壁部には、前記送風機吐出口の反対側かつ前記遠心送風羽根の回転方向の下流側に第１循環口と、前記第１循環口が設けられた以外の前記側壁部に第２循環口とを有し、前記フレーム内部に前記送風機吸込口と前記パネル用吸込口とを連通する吸込通風空間を設け、前記第１循環口と前記第２循環口と前記パネル用吐出口とを連通する循環通風空間を設けたものであり、これにより所期の目的を達成するものである。
【発明の効果】
【００１０】
本発明によれば、天井に取り付けられ、室内側に臨む開口を下面に有する箱状のフレームと、前記フレーム内に配設された遠心型の送風機と、前記フレーム側面にフレーム吐出口とを有した換気装置であって、前記フレームには、前記開口を覆うように化粧パネルが設けられ、前記送風機は、下面に送風機吸込口と側面に送風機吐出口とを有したスクロール状のケーシングと、前記ケーシング内に配設される遠心送風羽根と、前記遠心送風羽根を回転駆動する電動機とで構成され、前記化粧パネルには、中央部にパネル用吸込口と、周縁部にパネル用吐出口とが備えられ、前記ケーシングの側壁部には、前記送風機吐出口の反対側かつ前記遠心送風羽根の回転方向の下流側に第１循環口と、前記第１循環口が設けられた以外の前記側壁部に第２循環口とを有し、前記フレーム内部に前記送風機吸込口と前記パネル用吸込口とを連通する吸込通風空間を設け、前記第１循環口と前記第２循環口と前記パネル用吐出口とを連通する循環通風空間を設け、さらに第１循環口と第２循環口とを前記フレームの上面近傍に配置したこと等により、化粧パネル用吸込口から吸込んだ室内の空気を、第１循環口と第２循環口とから循環通風空間へ吐き出すことができるため、化粧パネル用吐出口の各方向から吐き出される循環風がより均一に室内空間に流れることができる。その結果、室内へ循環風を行き渡らせることが可能となるため、カビの発生、ニオイの残留を抑制するという効果を奏する。
【図面の簡単な説明】
【００１１】
【図１】本発明の実施の形態１の換気装置を示す側面断面図
【図２】同換気装置を示す上方透視図
【図３】同換気装置の化粧パネルを示す下方斜視図
【図４】本発明の実施の形態２の換気装置を示す上方透視図
【図５】従来の換気装置を示す側面断面図
【発明を実施するための形態】
【００１２】
本発明に係る換気装置は、天井に取り付けられ、室内側に臨む開口を下面に有する箱状のフレームと、前記フレーム内に配設された遠心型の送風機と、前記フレーム側面にフレーム吐出口とを有した換気装置であって、前記フレームには、前記開口を覆うように化粧パネルが設けられ、前記送風機は、下面に送風機吸込口と側面に送風機吐出口とを有したスクロール状のケーシングと、前記ケーシング内に配設される遠心送風羽根と、前記遠心送風羽根を回転駆動する電動機とで構成され、前記化粧パネルには、中央部にパネル用吸込口と、周縁部にパネル用吐出口とが備えられ、前記ケーシングの側壁部には、前記送風機吐出口の反対側かつ前記遠心送風羽根の回転方向の下流側に第１循環口と、前記第１循環口が設けられた以外の前記側壁部に第２循環口とを有し、前記フレーム内部に前記送風機吸込口と前記パネル用吸込口とを連通する吸込通風空間を設け、前記第１循環口と前記第２循環口と前記パネル用吐出口とを連通する循環通風空間を設けたことにより、
化粧パネル用吸込口から吸込んだ室内の空気を、第１循環口と第２循環口とから循環通風空間へ吐き出すことができるため、化粧パネル用吐出口の各方向から吐き出される循環風がより均一に室内空間に流れることができる。その結果、室内へ循環風を行き渡らせることが可能となるため、カビの発生、ニオイの残留を抑制するという効果を奏する。
【００１３】
前記第１循環口と前記第２循環口とを前記フレームの角部近傍に配置したことにより、
循環通風空間がその他の部分より大きくなっているフレーム角部近傍へ、循環風を効率よく吐き出すことができるので、化粧パネル用吐出口の各方向から吐き出される循環風が効率よく室内空間に流れることができる。その結果、室内へ循環風を行き渡らせることが可能となるため、カビの発生、ニオイの残留を抑制するという効果を奏する。
【００１４】
また、第１循環口と第２循環口とを前記フレームの上面近傍に配置したことにより、第１循環口と第２循環口とをフレームの上面近傍に配置することで、循環通風空間を最も多く確保することができる。循環通風空間を大きく確保することで、第１循環口と第２循環口とから吐き出された循環風の風速をより均一にすることができる。その結果、室内へ循環風を行き渡らせることが可能となるため、カビの発生、ニオイの残留を抑制するという効果を奏する。
【００１５】
また、第１循環口または第２循環口に開口率を調整する遮蔽手段を備えたことにより、循環風が行き渡りにくい方向への第１循環口または第２循環口の開口率を上げ、循環風が行き渡りやすい方向への第１循環口または第２循環口の開口率を下げることで、空気の行き渡りにくい場所へ循環風を行き渡らせることが可能となるため、カビの発生、ニオイの残留を抑制するという効果を奏する。
【００１６】
以下、本発明の実施の形態について図面を参照しながら説明する。
【００１７】
（実施の形態１）
図１、２に示すように、本実施の形態の換気装置は、室内１（例えば、高湿度の浴室など）の天井２の天井開口部３から天井裏４に突設される。そして、略直方体形状であるフレーム５には、下面に開口６と一側面に室外へ通ずるダクト７を接続するフレーム吐出口８が設けられている。さらにフレーム５の内部には送風機９が設けられている。その送風機９は、遠心送風羽根１０とこの遠心送風羽根１０の外周部を囲んだ渦巻形状をしたケーシング１１とで構成されている。また、遠心送風羽根１０は電動機１２の回転軸に固着されている。
【００１８】
ケーシング１１は、スクロールを成す側壁部１３と、フレーム吐出口８に連通する送風機吐出口１４と、遠心送風羽根１０の下方に設けられた送風機吸込口１５で構成される。
【００１９】
ここで、送風機吸込口１５の周縁には、空気を遠心送風羽根１０に案内するためのベルマウス１６が設けられ、側壁部１３の送風機吐出口１４近傍においては、図２に示すように空気をフレーム吐出口８に案内するための舌部１７が設けられている。
【００２０】
さらに、側壁部１３には、送風機吐出口１４の反対側かつ遠心送風羽根１０の回転方向の下流側（図２のハッチング部）に第１循環口１８と、第１循環口１８が設けられた以外の側壁部１３に第２循環口１９とが設けられている。例えば第２循環口１９は側壁部１３において、送風機吐出口１４の反対側かつ遠心送風羽根１０の回転方向の上流側に設けられてもよいし、或いは送風機吐出口１４側に設けられてもよい。ここで、送風機吐出口１４の反対側とはフレーム５内部において送風機吐出口１４の反対側半分の領域を指し、送風機吐出口１４側とはフレーム５内部において送風機吐出口１４側半分の領域を指す。
【００２１】
また、フレーム５の下面には、室内１側に臨む開口６を設けており、その開口６を覆うように椀状の化粧パネル２０が設けられる。図３に示すようにこの化粧パネル２０の椀状の中央部には、室内１からの空気を取り入れるためのパネル用吸込口２１が設けられる。さらに、化粧パネル２０の周縁部には、ほぼ水平方向に吐出されるパネル用吐出口２２が設けられている。パネル用吐出口２２は、化粧パネル２０の外周に近い場所に４箇所有し４方向へ吐出する構成となっている。なお、この実施の形態１では４箇所と記載したが、４箇所に限定するものではなく、化粧パネル２０の外周部から吹き出す形態であれば、その個数は４個以下でも、４個より多くてもよい。
【００２２】
ここで、フレーム５の内部には送風機吸込口１５とパネル用吸込口２１とを連通する吸込通風空間２３を設け、第１循環口１８と第２循環口１９とパネル用吐出口２２とを連通する循環通風空間２４を設けている。
【００２３】
また、図２に示すように、第１循環口１８と第２循環口１９とをフレーム５の角部近傍に配置した構成としてもよい。
【００２４】
さらに、図１、２に示すように、第１循環口１８と第２循環口１９とをフレーム５の上面近傍に配置した構成としてもよい。
【００２５】
このような上記構成において、送風機９を運転すると室内１（例えば、高湿度の浴室など）の空気は、図１〜図３の排気風２５に示すように、パネル用吸込口２１、吸込通風空間２３、ベルマウス１６に導かれながら送風機吸込口１５から送風機９に吸い込まれる。吸い込まれた空気の一部は、送風機吐出口１４から、フレーム吐出口８を通りダクト７を通り屋外へ排気される。
【００２６】
さらに、ケーシング１１の側壁部１３の第１循環口１８と第２循環口１９とを設けたことで、送風機９に吸い込まれた空気の一部は、図１〜図３の循環風２６に示すように、第１循環口１８と第２循環口１９とに吐き出される。そして、循環通風空間２４を通過し、パネル用吐出口２２から室内１（例えば、高湿度の浴室など）へ吐き出される。
【００２７】
なお、空気は遠心送風羽根１０の回転力により昇圧されるため、第１循環口１８を遠心送風羽根１０の回転方向の下流側（図２のハッチング部）に配置したことで、より高速の空気を第１循環口１８から吐き出すことを可能としている。
【００２８】
また、第２循環口１９を第１循環口１８が設けられた以外の側壁部１３に設けることで、空気を第１循環口１８に加えて第２循環口１９からも吐き出すことができる。ここで、第２循環口１９を設けない場合には、空気は第１循環口１８のみからしか吐き出されないため、循環通風空間２４における循環風２６の風速は第１循環口１８付近が高速となり、風速バラツキが発生していた。しかし、空気を第２循環口１９からも吐き出すことができるようにすることで、循環通風空間２４の循環風２６の風速バラツキを低減し、より均一にすることができる。その結果、パネル用吐出口２２の各方向から吐き出される循環風２６がより均一に室内１空間に流れることができる。なお、例えば、循環風２６をパネル用吐出口２２の各方向からほぼ均等に吐き出すことも可能である。
【００２９】
この結果、室内１（例えば、高湿度の浴室など）内には、浴室のユニットバスの扉などに設けられる浴室給気口（図示せず）から、室内１（例えば、高湿度の浴室など）外の乾き空気が流入する。そして、室内１（例えば、高湿度の浴室など）内に付着した水分を蒸発させながら排気をおこなうことで室内１（例えば、高湿度の浴室など）の乾燥を行うのである。さらに、パネル用吐出口２２から循環風２６を吐き出すことで、室内１（例えば、高湿度の浴室など）内空間は、より蒸発が促進されることとなる。
【００３０】
ここで、循環風２６の効果を詳述する。
【００３１】
一般に、給気口（図示せず）から空気を引き込むだけでは、給気口からフレーム５への一様の空気の流れとなるため、流れから離れた部分においては、空気が行き渡りにくくなっていた。そのため、ニオイの残留や、水分乾燥ができないことにより、カビが発生していた。
【００３２】
しかし、パネル用吐出口２２から循環風２６を吐き出すことにより、一般的な一様な空気の流れに加えて、空気が行き渡りにくい部分にも空気を送ることが可能となる。室内１（例えば、高湿度の浴室など）全体に空気が行き渡るため、ニオイの残留の抑制、水分乾燥の促進が可能となる。さらに、室内１（例えば、高湿度の浴室など）を乾燥状態に保つことが可能となるため、カビの発生も抑制できることとなる。
【００３３】
ここでは、パネル用吐出口２２から吐き出す空気は水平方向に吐き出され、循環風２６は室内１（例えば、高湿度の浴室など）の天井２を沿うように流れるため、より一層室内１（例えば、高湿度の浴室など）に風が行き渡るため乾燥が促進されるといえる。  また、図２に示すように、循環通風空間２４は、フレーム５が略直方体形状であるため、角部近傍が、その他の部分より空間が大きく、通風抵抗が小さくなっている。第１循環口１８と第２循環口１９とをフレーム５の角部近傍へ配置することで、循環風２６を効率よく循環通風空間２４へ吐き出すことができ、循環風２６をパネル用吐出口２２から効率よく吐き出すことが可能となる。結果として、室内１（例えば、高湿度の浴室など）全体に空気が行き渡るため、ニオイの残留の抑制、水分乾燥の促進、カビの発生の抑制ができることとなる。
【００３４】
さらに、図１、２に示すように、第１循環口１８と第２循環口１９とをフレーム５の上面近傍に配置し、循環通風空間２４を最も大きく確保できる構成としている。循環風２６を大きな空間の循環通風空間２４に吐き出すことで、循環風２６が循環通風空間２４を通過する際にその風速が弱められ、循環通風空間２４に充満しながら下方に流れて行く。そして、パネル用吐出口２２から吐き出された循環風２６は、室内１（例えば、高湿度の浴室など）全体により均等に行き渡ることとなる。その結果、ニオイの残留の抑制、水分乾燥の促進、カビの発生の抑制ができることとなる。
【００３５】
（実施の形態２）
実施の形態１と同じ構成には同符号を付し、詳しい説明は省略する。
【００３６】
図４に示すように、第１循環口１８と第２循環口１９とには、開口率を調整する遮蔽手段２７を備えている。例えばこの実施の形態では、遮蔽手段２７を摺動操作することで第１循環口１８と第２循環口１９との開口を小さくしている。その他にも、遮蔽手段２７を開閉操作する方法や、遮蔽手段２７を取付ける方法など、開口率を調整する手段であればどの手段でもよい。
【００３７】
上記構成において、循環風２６を行き渡らせたい方向への第１循環口１８または第２循環口１９の開口率を上げることで、循環風２６の風量を大きくすることが可能となる。また、循環風２６を行き渡らせたくない方向への第１循環口１８または第２循環口１９の開口率を下げることで、循環風２６の風量を小さくすることも可能となっている。
【００３８】
そのため、室内１（例えば、高湿度の浴室など）の一方向が大きく、または照明や家具等が配置され、室内１（例えば、高湿度の浴室など）全体に空気が行き渡りにくい場合において、循環風２６が行き渡りにくい方向への第１循環口１８または第２循環口１９の開口率を上げ、循環風２６が行き渡りやすい方向への第１循環口１８または第２循環口１９の開口率を下げることで、空気の行き渡りにくい場所へ循環風２６を行き渡らせることが可能となる。結果として、室内１（例えば、高湿度の浴室など）全体に空気が行き渡るため、ニオイの残留の抑制、水分乾燥の促進、カビの発生の抑制ができることとなる。
【産業上の利用可能性】
【００３９】
本発明に係る換気装置は、住宅用の換気装置等として活用が期待されるものである。
【符号の説明】
【００４０】
１      室内
２      天井
３      天井開口部
４      天井裏
５      フレーム
６      開口
７      ダクト
８      フレーム吐出口
９      送風機
１０    遠心送風羽根
１１    ケーシング
１２    電動機
１３    側壁部
１４    送風機吐出口
１５    送風機吸込口
１６    ベルマウス
１７    舌部
１８    第１循環口
１９    第２循環口
２０    化粧パネル
２１    パネル用吸込口
２２    パネル用吐出口
２３    吸込通風空間
２４    循環通風空間
２５    排気風
２６    循環風
２７    遮蔽手段
【図１】
0006439140.tif 000002
【図２】
0006439140.tif 000003
【図３】
0006439140.tif 000004
【図４】
0006439140.tif 000005
【図５】
0006439140.tif 000006